(57)【特許請求の範囲】
【請求項１】
浴室ユニットの床パン下方より導入する給水、給湯管と、該給水、給湯管から浴室ユニット内に設置された水栓金具に接続する接続管とを備え、該水栓金具から浴室ユニットの壁裏にシャワー配管を沿わせ、該水栓金具から離間させてシャワー吐水水路を形成する浴室ユニットにおいて、前記壁裏シャワー配管は、前記給水、給湯管と断面積が略同一であり、且つ偏平形状であり、下方と上方の側面に流入口と流出口とを夫々備え、前記夫々の開口を覆うように脚部配管を形成したことを特徴とする浴室ユニット。
【請求項２】
前記シャワー配管の上下端部に蓋部材を水密固定したことを特徴とする請求項１に記載の浴室ユニット。
【請求項３】
前記蓋部材を前記流入口及び流出口近傍まで前記シャワー配管に挿嵌したことを特徴とする請求項２に記載の浴室ユニット。
【請求項４】
浴室ユニットの床パン下方より導入する給水、給湯管と、該給水、給湯管から浴室ユニット内に設置された水栓金具に接続する接続管とを備え、該水栓金具から浴室ユニットの壁裏にシャワー配管を沿わせ、該水栓金具から離間させてシャワー吐水水路を形成する浴室ユニットにおいて、前記壁裏シャワー配管は前記給水、給湯管と断面積が略同一であり、且つ偏平形状であり、壁裏シャワー配管に垂直の方向に流入口を設けた漏斗状継手が壁裏シャワー配管の下端に固定され、壁裏シャワー配管に垂直の方向に流出口を設けた漏斗状継手が壁裏シャワー配管の上端に固定されていることを特徴とする浴室ユニット。
【発明の詳細な説明】
【０００１】
【発明の属する技術分野】
本発明はユニットバスに湯水を供給する壁裏に配置される配管に係り、特にユニットバス壁パネルの裏側と建築躯体との隙間が小さい場合に好適な壁裏配管に関する。
【０００２】
【従来の技術】
近年、図１のように、床パン下方から浴室内部へ給水、給湯管を立ち上げ、給水給湯管を洗い場側の水栓金具と接続し、その水栓金具に連結するシャワーホースが床上に横たわらぬよう、高い壁位置からシャワーホース端部を室内側に出す仕様のユニットバスルームが上市されている。この場合、図２のようにユニットバスルーム内に設置された水栓金具１から分岐したシャワー水通水管２が、径が給水給湯管と略同一のパイプ３で上下端にエルボ４ａｂを連結した壁裏配管５の下側エルボ４ａと、壁開口穴７ａを介して連結している。また、シャワーホース連結金具６が壁の高い位置の壁開口穴７ｂを介して上側エルボ４ｂと連結している。
【０００３】
しかし、本法では、給水給湯管と略同一径の円筒形状配管をエルボにネジ込みもしくはろう付けするため、壁パネルの裏面と建築躯体の間のスペースは、配管外径＋エルボ肉厚×２だけは最低限必要となる。このため、建築躯体８とユニットバスルーム通水面側壁パネル裏面９とのスペースは、通常５０〜１００ｍｍ確保する必要があった。また、建築躯体との間のスペース１０を小さくしようとすると、パイプ３の径を細くし、エルボ４の肉厚も薄くする必要があるため、シャワー水流量が確保できず、強度も確保できないという問題があった。
【０００４】
【発明が解決しようとする課題】
従来の円筒形パイプの両端にエルボを付けた壁裏配管では、図３に示すように、壁パネルの裏面と建築躯体の間のスペースは、一般的に（パイプ外径Ｄ＋エルボ肉厚ｔ×２）は最低限必要となる。この場合、壁パネル裏面と建築躯体との間のスペースが小さくなってくると、配管の径を細くし、エルボの肉厚も薄くする必要があるために、十分な通水量が確保できず、強度、耐久性も犠牲にしなければならない。
【０００５】
本発明は、上記課題を解決するためになされたもので、本発明の目的は、壁パネルの裏面と建築躯体の間のスペースを最低限に抑えて、かつ十分な通水量と耐久性を確保する壁裏配管を提供することにある。
【０００６】
【課題を解決するための手段】
上記目的を達成するために請求項１は、偏平配管を用いるので、同量の断面積を少ない奥行きで達成できるため、通水量を充分に確保できる。
【０００７】
管本体の側面に開口部を設け、シャワー水の流入・流出が可能なため、エルボを不要とし、エルボ肉厚分のスペースを省くとともに、脚部配管肉厚を大きくできるため、強度低下要因を排除することができる。
【０００８】
請求項２では、長寸の偏平管を用意しておけば、所定の長さに切断し、その開口部に栓をすることで経済的に配管が得られる。
【０００９】
請求項３では、シャワー温度制御や管の耐久性上望ましくない管の端部から流入穴、流出穴までに滞留する水の量を少なくすることができる。
【００１０】
請求項４では、偏平管側面に開口穴を設けることが困難な場合等に、管への流入穴、流出穴を確保することができる。
【００１１】
【発明の実施の形態】
図４に請求項１〜３の実施例に関わる壁裏配管形状を、その壁裏配管がユニットバスルームに取り付いた状態を図５に示す。
【００１２】
材質がＳＵＳ３０４もしくはＳＵＳ３１６で板厚が０．５〜３ｍｍの板をロールフォーミングして長径１０〜４０ｍｍ、短径５〜１５ｍｍの楕円に成形し、板端を連続溶接して偏平管に成形した。なお、断面形状は楕円でなくともよく、図６に示す如く並行な線の両端を半円で繋いだ形状でも良く、さらには長方形でも良い。また、ロールフォーミングにて偏平形状を成形せずとも、既存の円筒形状のパイプをプレス成形にて偏平形状に加工しても良い。その管を所定の長さに切断し、偏平パイプ１１を得た。偏平パイプ１１両端の開口部１２は、パイプと同材質の栓１３と管穴周囲を溶接して水密性を確保した。なお、両端の開口部の水密性は、栓１３を用いずにプレス等で線状につぶし、その接合線を溶接してもよい。外径Φ１０〜Φ４０、長さが壁パネルを貫通してシャワー水通水管２やシャワーホース取り付け金具６と充分に嵌合できる長さ、肉厚１〜４ｍｍで配管曲面１４に沿う形状に一方をカットした脚部配管１５を用意し、偏平配管の所定の位置に溶接した。
さらに、配管曲面１４上の、管１５で囲まれた面１６に、管１５の内径もしくはそれよりも小さい穴１７を配管曲面１４を貫通する形であけた。
【００１３】
以上の工程により、壁パネル裏面からの設置寸法が従来の配管よりも少なく、通水量も充分な壁裏配管を実現でき、壁パネル裏面と建築躯体の隙間が小さくてもシャワーホースが壁から出せるユニットバスルームを得た。
【００１４】
請求項４の実施例に関わる壁裏配管構造を図７に示す。
偏平管の両端開口部１２に栓１８は穴１７外周付近まで到達できる長さとし、穴１７よりも配管内で外側にある空隙を極力少なくした。
請求項５の実施例に関わる壁裏配管構造を、図８に示す。所定の長さに切断された偏平管の両端開口部１２に、偏平管とは垂直方向に流入口１９ａ、流出口１９ｂを設けた漏斗形状部材２０ａ，２０ｂを溶接した。
【００１５】
【発明の効果】
本発明は上記構成により次の効果を発揮する。
請求項１では、偏平配管を用いるので、長径を壁パネル裏面と並行になるように設置すれば、通水量を充分に確保できる壁裏配管を有し、壁パネル裏面からの設置寸法が従来の配管よりも少なく、通水量も充分な壁裏配管を実現でき、壁パネル裏面と建築躯体の隙間が小さくてもシャワーホースが壁から出せるユニットバスルームを得る。
【００１６】
偏平配管の側面に流入口と流出口とを設けてエルボ不要の構造とすることで、配管を差し込み固定するのに必要なエルボの肉厚をなくす事ができ、壁パネル裏面のスペースを抑える事ができる。
【００１７】
請求項２では、連続的に作られた廉価偏平管を所定の長さに切断し、両端開口部を塞ぐことで配管に供することが可能であり、経済的である。
【００１８】
請求項３では、その栓の配管内に占める体積を大きくすることで配管内で滞留する水を少なくする。
【００１９】
請求項４では、配管側面に穴をあけることなくシャワー水の流入、流出のための手段を提供する。
【図面の簡単な説明】
【図１】本発明に適用される壁出しシャワーのついたユニットバスの概観である。
【図２】従来の壁裏配管取り付け状態を示す概略図である。
【図３】従来の壁裏配管を示す構造図（部分）である。
【図４】本発明に関わる偏平配管断面構造を示す図である。
【図５】本発明に関わる偏平配管取り付け状態を示す概略図である。
【図６】偏平配管の断面形状で、楕円以外の例図である。
【図７】請求項３に関わる実施例を示す構造図（部分）である。
【図８】請求項４の実施例に関わる壁裏配管構造を示す図である。
【符号の説明】
１：水栓金具
２：シャワー水通水管
３：パイプ（断面形状は真円）
４：エルボ
５：壁裏配管
６：シャワーホース連結金具
７：壁開口穴
８：建築躯体
９：壁パネル裏面
１０：壁パネル裏面と建築躯体との間のスペース
１１：偏平パイプ
１２：開口部
１３：栓
１４：配管曲面
１５：管
１６：面
１７：穴
１８：滞留水をすくなくするための栓
19a ：流入口
19b ：流出口
20ab  ：漏斗形状部
【図１】
0003610572.tif 000002
【図２】
0003610572.tif 000003
【図３】
0003610572.tif 000004
【図４】
0003610572.tif 000005
【図５】
0003610572.tif 000006
【図６】
0003610572.tif 000007
【図７】
0003610572.tif 000008
【図８】
0003610572.tif 000009